(57)【要約】本発明は、無線通信システムに関するもので、より詳細には、無線通信システムでページングメッセージを伝送する方法及び受信する方法に関するものである。本発明は、無線通信システムでページングメッセージを伝送する方法及び受信する方法に関するものである。本発明の一様相によるページングメッセージ伝送方法は、無線通信システムのネットワークで多数の端末にページングメッセージを伝送する方法として、前記ネットワークが互いに異なる連結状態にある互いに異なる端末に互いに異なるチャネルを通してページングメッセージを伝送することを特徴とする。
2010507323.tif 000002
【特許請求の範囲】
【請求項１】
無線通信システムで端末のページングメッセージを受信する方法において、
ネットワークとの連結状態によって少なくとも二つ以上のチャネルを通してページングメッセージを受信可能な端末が、第１連結状態では第１チャネルを通してページングメッセージを受信できることを知らせるための性能指示情報を前記ネットワークに伝送する段階と、
前記ネットワークから第２チャネルを通してページング指示情報を受信する段階と、
前記ネットワークから第３チャネルを通して前記端末の識別子を受信する段階と、
前記第１チャネルを通して前記ネットワークから伝送されるページングメッセージを受信する段階と、を含む、ページングメッセージ受信方法。
【請求項２】
前記第１連結状態は、前記ネットワーク及び端末の特定のプロトコル階層の間に情報を送受信可能な状態であることを特徴とする、請求項１に記載のページングメッセージ受信方法。
【請求項３】
前記特定のプロトコル階層は、ＲＲＣ（Ｒａｄｉｏ  Ｒｅｓｏｕｒｃｅ  Ｃｏｎｔｒｏｌ）階層であることを特徴とする、請求項２に記載のページングメッセージ受信方法。
【請求項４】
前記端末が休止状態（ｉｄｌｅ  ｓｔａｔｅ）である場合には、第４チャネルを通してページングメッセージを受信することを特徴とする、請求項３に記載のページングメッセージ受信方法。
【請求項５】
前記第１チャネルは、多数の端末が多数の共用チャネル化コードを使用して無線資源を共有するチャネルであることを特徴とする、請求項１に記載のページングメッセージ受信方法。
【請求項６】
前記第１チャネルで、前記端末は、同一の伝送時間間隔（ＴＴＩ）内で端末容量によって多数のチャネル化コードの割り当てを受けることができ、多数の端末に対するダウンリンクデータは、同一の伝送時間間隔内でコード多重化されて伝送されることを特徴とする、請求項５に記載のページングメッセージ受信方法。
【請求項７】
前記第４チャネルは、特定のチャネル化コードのみが割り当てられるチャネルであることを特徴とする、請求項４に記載のページングメッセージ受信方法。
【請求項８】
前記性能指示情報は、ＲＲＣ連結要請メッセージ及びＲＲＣ連結設定完了メッセージのうち少なくとも一つに含まれて伝送されることを特徴とする、請求項３に記載のページングメッセージ受信方法。
【請求項９】
前記第１連結状態は、ＣＥＬＬ＿ＰＣＨまたはＵＲＡ＿ＰＣＨ状態であることを特徴とする、請求項３に記載のページングメッセージ受信方法。
【請求項１０】
無線通信システムで端末のページングメッセージを受信する方法において、
ネットワークからページング指示情報を受信する段階と、
前記ネットワーク及び端末の特定のプロトコル階層の間で通信が可能であり、不連続受信方式（ＤＲＸ）を使用する第１状態で、前記端末が第１チャネルを通してネットワークからページングメッセージを受信する段階と、
前記特定のプロトコル階層の間で通信が不可能な第２状態で、前記端末が第２チャネルを通して前記ネットワークからページングメッセージを受信する段階と、を含む、ページングメッセージ受信方法。
【請求項１１】
前記特定のプロトコル階層は、ＲＲＣ階層であることを特徴とする、請求項１０に記載のページングメッセージ受信方法。
【請求項１２】
前記第１状態は、ＣＥＬＬ＿ＰＣＨまたはＵＲＡ＿ＰＣＨ状態であることを特徴とする、請求項１１に記載のページングメッセージ受信方法。
【請求項１３】
前記第１チャネルは伝送チャネルであるＨＳ−ＤＳＣＨで、前記第２チャネルは伝送チャネルであるＰＣＨであることを特徴とする、請求項１２に記載のページングメッセージ受信方法。
【請求項１４】
前記第１チャネルは物理チャネルであるＨＳ−ＰＤＳＣＨで、前記第２チャネルは物理チャネルであるＳ−ＣＣＰＣＨであることを特徴とする、請求項１２に記載のページングメッセージ受信方法。
【請求項１５】
無線通信システムのネットワークで多数の端末にページングメッセージを伝送する方法において、
前記ネットワークとの連結状態によって第１連結状態にある第１端末にページング指示情報を伝送する段階と、
前記第１端末に第１チャネルを通してページングメッセージを伝送する段階と、
第２連結状態にある第２端末にページング指示情報を伝送する段階と、
前記第２端末に第２チャネルを通してページングメッセージを伝送する段階と、を含む、ページングメッセージ伝送方法。
【請求項１６】
前記第１連結状態は、前記ネットワーク及び前記第１端末の特定のプロトコル階層の間で通信が可能な状態であることを特徴とする、請求項１５に記載のページングメッセージ伝送方法。
【請求項１７】
前記第１チャネルは、多数の共用チャネル化コードを使用して多数の端末が無線資源を共有するチャネルであることを特徴とする、請求項１５に記載のページングメッセージ伝送方法。
【請求項１８】
前記第２連結状態は、前記ネットワーク及び前記第２端末の特定のプロトコル階層の間で通信が不可能な状態であることを特徴とする、請求項１５に記載のページングメッセージ伝送方法。
【請求項１９】
前記特定のプロトコル階層は、ＲＲＣ階層であることを特徴とする、請求項１６または１８に記載のページングメッセージ伝送方法。
【請求項２０】
前記第１チャネルの特定の伝送時間間隔（ＴＴＩ）内で、特定の端末は、端末容量によって多数のチャネル化コードの割り当てを受けることができ、多数の端末に対するダウンリンクデータは、同一の前記第１チャネルの特定の伝送時間間隔内でコード多重化されて伝送されることを特徴とする、請求項１７に記載のページングメッセージ受信方法。
【請求項２１】
前記第２チャネルは、特定のチャネル化コードのみが割り当てられるチャネルであることを特徴とする、請求項１５に記載のページングメッセージ伝送方法。
【請求項２２】
前記第１端末から前記第１端末が前記第１チャネルを通してページングメッセージを受信できることを知らせる性能指示情報を受信する段階と、
前記第１端末に第３チャネルを通して前記端末の識別子を伝送する段階と、をさらに含む、請求項１５に記載のページングメッセージ伝送方法。
【請求項２３】
前記性能指示情報は、ＲＲＣ連結要請メッセージ及びＲＲＣ連結設定完了メッセージのうち少なくとも一つに含まれて受信されることを特徴とする、請求項２２に記載のページングメッセージ伝送方法。
【請求項２４】
前記第１連結状態は、ＣＥＬＬ＿ＰＣＨ状態またはＵＲＡ＿ＰＣＨ状態であることを特徴とする、請求項１９に記載のページングメッセージ伝送方法。
【発明の詳細な説明】
【技術分野】
【０００１】
本発明は、無線通信システムに関するもので、より詳細には、無線通信システムでページングメッセージを伝送する方法及び受信する方法に関するものである。
【背景技術】
【０００２】
無線通信システムにおいて、ページング手順は、特定の端末または多数の端末を呼び出すときに使用される。ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）では、Ｐａｇｉｎｇ  Ｔｙｐｅ１及びＰａｇｉｎｇ  Ｔｙｐｅ２の２種類のページングメッセージが使用される。
【０００３】
Ｐａｇｉｎｇ  Ｔｙｐｅ１メッセージは、休止モード（Ｉｄｌｅ  Ｍｏｄｅ）及びＣＥＬＬ＿ＰＣＨとＵＲＡ＿ＰＣＨの連結モードにある端末を呼び出す場合に使用される。休止モードにある端末に対して、核心網は、端末とのシグナリング接続を設定するか、呼またはセッションの設定を要求するために端末を呼び出すことができ、ＣＥＬＬ＿ＰＣＨまたはＵＲＡ＿ＰＣＨ状態にある端末に対しては、セル更新手順またはＵＲＡ（ＵＴＲＡＮ  Ｒｅｇｉｓｔｒａｔｉｏｎ  Ａｒｅａ）更新手順を行うように端末を呼び出すことができる。これと同時に、ＵＴＲＡＮは、更新されたシステム情報を読むように端末に指示するためにＰａｇｉｎｇ  Ｔｙｐｅ１メッセージを使用することができる。更新されたシステム情報は、セル内の全ての端末に重要な情報であるので、呼び出し対象は、セル内の全ての端末になる。呼び出される端末を区分するために、ページングメッセージには端末の識別情報が含まれており、端末が休止モードである場合には、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）、ＴＭＳＩ（Ｔｅｍｐｏｒａｒｙ  Ｍｏｂｉｌｅ  Ｓｕｂｓｃｒｉｂｅｒ  Ｉｄｅｎｔｉｔｙ）、Ｐ−ＴＭＳＩ（Ｐａｃｋｅｔ  Ｔｅｍｐｏｒａｒｙ  Ｍｏｂｉｌｅ  Ｓｕｂｓｃｒｉｂｅｒ  Ｉｄｅｎｔｉｔｙ）のような上位水準の端末識別情報が含まれ、端末が連結モードである場合には、Ｕ−ＲＮＴＩ（ＵＴＲＡＮ  Ｒａｄｉｏ  Ｎｅｔｗｏｒｋ  Ｔｅｍｐｏｒａｒｙ  Ｉｄｅｎｔｉｔｙ）が使用される。
【０００４】
Ｐａｇｉｎｇ  Ｔｙｐｅ２メッセージは、端末がＣｅｌｌ＿ＤＣＨまたはＣｅｌｌ＿ＦＡＣＨ状態の連結モードにある場合に使用され、既存に設定されているＲＲＣ接続を通して追加的に端末を呼び出すときに使用される。Ｐａｇｉｎｇ  Ｔｙｐｅ２メッセージは、既存に設定されたＲＲＣ接続を用いるので、特定の端末に対する専用呼び出しが可能である。
【０００５】
ＵＭＴＳで休止モード及びＣＥＬＬ＿ＰＣＨとＵＲＡ＿ＰＣＨ状態の連結モード状態にある端末の場合、電力消耗を減少させるために不連続受信（ＤＲＸ：Ｄｉｓｃｏｎｔｉｎｕｏｕｓ  Ｒｅｃｅｐｔｉｏｎ）方式を支援する。不連続受信方式は、端末がネットワークから伝送されるダウンリンクデータを受信するために特定のチャネルを常にモニタリングするのでなく、ほとんどの時間の間に睡眠状態にありながら、特定の区間のみでウェイクアップし、ネットワークから受信されるデータがあるかを確認する方式を意味する。端末呼び出し時に、ＵＴＲＡＮは、ＰＩＣＨ（Ｐａｇｉｎｇ  Ｉｎｄｉｃａｔｉｏｎ  Ｃｈａｎｎｅｌ）を通してＰＩを伝送し、一定時間後にページングメッセージが伝送されることを指示する。ＰＩを受信した端末は、一定時間後にページングメッセージを受信する。
【０００６】
上述したように、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）では、休止モード状態にある端末だけでなく、連結モード中でＣＥＬＬ＿ＰＣＨまたはＵＲＡ＿ＰＣＨ状態にある端末もＤＴＸ方式によって動作する。しかしながら、従来技術において、ネットワークは、休止モード状態にある端末とＣＥＬＬ＿ＰＣＨまたはＵＲＡ＿ＰＣＨのような連結モード状態にある端末に対して同一のページングチャネルを使用して呼び出しを行うので、各状態による特徴と符合しないとともに、無線資源を効率的に使用できないという問題点がある。
【発明の概要】
【発明が解決しようとする課題】
【０００７】
本発明は、上記のような従来技術の問題点を解決するためになされたもので、その目的は、無線通信システムで互いに異なる端末動作状態の特徴によるページングメッセージ伝送方法及び受信方法を提供することにある。
【０００８】
本発明の他の目的は、無線資源を効率的に使用できるページングメッセージ伝送方法及び受信方法を提供することにある。
【課題を解決するための手段】
【０００９】
本発明の一様相によるページングメッセージ伝送方法は、無線通信システムのネットワークで多数の端末にページングメッセージを伝送する方法として、前記ネットワークが互いに異なる連結状態にありながら、不連続受信（ＤＲＸ）方式によって動作する互いに異なる端末に互いに異なるチャネルを通してページングメッセージを伝送することを特徴とする。すなわち、前記ネットワークは、前記ネットワークとの連結状態によって第１連結状態にある第１端末に第１チャネルを通してページングメッセージを伝送し、第２連結状態にある第２端末に第２チャネルを通してページングメッセージを伝送する。ここで、連結状態は、端末の動作モード及び通信状態を定義するもので、休止モードと連結モードに大きく区分される。この区分は、ネットワークと端末の特定のプロトコル階層の間にデータ通信のための連結が設定されているかどうかによるもので、休止モードは、前記プロトコル階層の間に連結が設定されない場合であり、前記連結モードは、前記プロトコル階層の間に連結が設定された場合である。
【００１０】
本発明の他の様相によるページングメッセージ受信方法は、無線通信システムで端末のページングメッセージを受信する方法において、ネットワーク及び端末の特定のプロトコル階層の間で通信が可能な第１状態では、第１チャネルを通してネットワークからページングメッセージを受信し、前記特定のプロトコル階層の間で通信が不可能な第２状態では、第２チャネルを通して前記ネットワークからページングメッセージを受信することを特徴とする。すなわち、連結モードにある端末は、ページングメッセージとページングメッセージでないメッセージが共有される特徴を持つチャネルを通してネットワークからページングメッセージを受信し、休止モードにある端末は、ページング専用のチャネルを通してネットワークからページングメッセージを受信する。前記第１状態はＣＥＬＬ＿ＰＣＨまたはＵＲＡ＿ＰＣＨ状態で、前記第２状態は休止モード状態であることが好ましい。
【発明の効果】
【００１１】
本発明によると、端末の連結状態によってページングメッセージの伝送チャネルを異ならせることで、無線資源を効率的に使用できるという効果がある。
【図面の簡単な説明】
【００１２】
【図１】ＵＭＴＳの網構造を示した図である。
【図２】ＵＭＴＳシステムで使用する無線プロトコルの構造を示した図である。
【図３】ＨＳＤＰＡシステムでの無線接続インターフェースのプロトコル構造を示した図である。
【図４】ＨＳ−ＰＤＳＣＨのサブフレームとスロット構造を示した図である。
【図５】ＨＳＰＤＡシステムのチャネル構成を概略的に示した図である。
【図６】ＨＳ−ＳＣＣＨのサブフレーム構造を示した図である。
【図７】ＨＳ−ＳＣＣＨ情報によるＨＳ−ＳＣＣＨのコーディング方式を示した図である。
【図８】アップリンクＨＳ−ＤＰＣＣＨのフレーム構造を示した図である。
【図９】本発明に係る一実施例の手順フローチャートである。
【図１０】本発明の一実施例に係るページングメッセージ伝送チャネルのプロトコル構造を示した図である。
【発明を実施するための形態】
【００１３】
以下で説明される本発明の各実施例を通して、本発明の構成、作用及び他の特徴を容易に理解できるだろう。以下で説明される各実施例は、本発明の技術的特徴がＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）のＨＳＤＰＡ（Ｈｉｇｈ  Ｓｐｅｅｄ  Ｄｏｗｎｌｉｎｋ  Ｐａｃｋｅｔ  Ａｃｃｅｓｓ）技術に適用された各例である。ＵＭＴＳの技術規格に対する詳細な内容は、“３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ”のＲｅｌｅａｓｅ７を参照することができる。
【００１４】
図１は、ＵＭＴＳの網構造を示した図である。ＵＭＴＳシステムは、大きく端末（Ｕｓｅｒ  Ｅｑｕｉｐｍｅｎｔ；ＵＥ）、ＵＴＭＳ無線接続網（ＵＭＴＳ  Ｔｅｒｒｅｓｔｒｉａｌ  Ｒａｄｉｏ  Ａｃｃｅｓｓ  Ｎｅｔｗｏｒｋ；ＵＴＲＡＮ）及び核心網（Ｃｏｒｅ  Ｎｅｔｗｏｒｋ；ＣＮ）で構成されている。ＵＴＲＡＮは、一つ以上の無線網副システム（Ｒａｄｉｏ  Ｎｅｔｗｏｒｋ  Ｓｕｂ−ｓｙｓｔｅｍｓ；ＲＮＳ）で構成され、各ＲＮＳは、一つの無線網制御器（Ｒａｄｉｏ  Ｎｅｔｗｏｒｋ  Ｃｏｎｔｒｏｌｌｅｒ；ＲＮＣ）及び前記ＲＮＣによって管理される一つ以上の基地局（Ｎｏｄｅ  Ｂ）で構成される。一つのＮｏｄｅ  Ｂには一つ以上のセルが存在する。
【００１５】
図２は、ＵＭＴＳシステムで使用する無線プロトコルの構造を示した図である。図２に示すような無線プロトコル階層は、端末とＵＴＲＡＮにペア（ｐａｉｒ）として存在し、無線区間のデータ伝送を担当する。それぞれの無線プロトコル階層に対して説明すると、次の通りである。まず、第１階層である物理（ＰＨＹ：ＰＨＹｓｉｃａｌ）階層は、多様な無線伝送技術を用いてデータを無線区間に伝送する役割をする。ＰＨＹ階層は、上位階層であるＭＡＣ階層と伝送チャネルを通して連結されており、伝送チャネルは、チャネルの共有可否によって大きく専用伝送チャネルと共用伝送チャネルに分けられる。
【００１６】
第２階層には、ＭＡＣ（Ｍｅｄｉｕｍ  Ａｃｃｅｓｓ  Ｃｏｎｔｒｏｌ）、ＲＬＣ（Ｒａｄｉｏ  Ｌｉｎｋ  Ｃｏｎｔｒｏｌ）、ＰＤＣＰ（Ｐａｋｃｅｔ  Ｄａｔａ  Ｃｏｎｖｅｒｇｅｎｃｅ  Ｐｒｏｔｏｃｏｌ）及びＢＭＣ（Ｂｒｏａｄｃａｓｔ／Ｍｕｌｔｉｃａｓｔ  Ｃｏｎｔｒｏｌ）階層が存在する。ＭＡＣ階層は、多様な論理チャネルを多様な伝送チャネルにマッピングさせる役割を行うとともに、多様な論理チャネルを一つの伝送チャネルにマッピングさせる論理チャネル多重化の役割を行う。ＭＡＣ階層は、上位階層であるＲＬＣ階層とは論理チャネルで連結されており、論理チャネルは、伝送される情報の種類によって、制御平面の情報を伝送する制御チャネルと、使用者平面の情報を伝送するトラフィックチャネルに大きく分けられる。
【００１７】
ＭＡＣ階層は、細部的に管理する伝送チャネルの種類によってＭＡＣ−ｂ副階層、ＭＡＣ−ｄ副階層、ＭＡＣ−ｃ／ｓｈ副階層、ＭＡＣ−ｈｓ副階層及びＭＡＣ−ｅ副階層に区分される。ＭＡＣ−ｂ副階層は、システム情報の放送を担当する伝送チャネルであるＢＣＨ（Ｂｒｏａｄｃａｓｔ  Ｃｈａｎｎｅｌ）の管理を担当し、ＭＡＣ−ｃ／ｓｈ副階層は、他の端末と共有されるＦＡＣＨ（Ｆｏｒｗａｒｄ  Ａｃｃｅｓｓ  Ｃｈａｎｎｅｌ）やＤＳＣＨ（Ｄｏｗｎｌｉｎｋ  Ｓｈａｒｅｄ  Ｃｈａｎｎｅｌ）などの共用伝送チャネルを管理し、ＭＡＣ−ｄ副階層は、特定の端末に対する専用伝送チャネルであるＤＣＨ（Ｄｅｄｉｃａｔｅｄ  Ｃｈａｎｎｅｌ）の管理を担当する。また、ダウンリンク及びアップリンクの高速データ伝送を支援するために、ＭＡＣ−ｈｓ副階層は、高速ダウンリンクデータ伝送のための伝送チャネルであるＨＳ−ＤＳＣＨ（Ｈｉｇｈ  Ｓｐｅｅｄ  Ｄｏｗｎｌｉｎｋ  Ｓｈａｒｅｄ  Ｃｈａｎｎｅｌ）を管理し、ＭＡＣ−ｅ副階層は、高速アップリンクデータ伝送のための伝送チャネルであるＥ―ＤＣＨ（Ｅｎｈａｎｃｅｄ  Ｄｅｄｉｃａｔｅｄ  Ｃｈａｎｎｅｌ）を管理する。
【００１８】
ＲＬＣ階層は、各無線ベアラ（ＲＢ：Ｒａｄｉｏ  Ｂｅａｒｅｒ）のサービス品質（ＱｏＳ：Ｑｕａｌｉｔｙ  ｏｆ  Ｓｅｒｖｉｃｅ）に対する保障及びこれによるデータの伝送を担当する。ＲＬＣは、ＲＢ固有のＱｏＳを保障するためにＲＢごとに一つまたは二つの独立したＲＬＣ個体を含んでおり、多様なＱｏＳを支援するために、ＴＭ（Ｔｒａｎｓｐａｒｅｎｔ  Ｍｏｄｅ、透明モード）、ＵＭ（Ｕｎａｃｋｎｏｗｌｅｄｇｅｄ  Ｍｏｄｅ、無応答モード）及びＡＭ（Ａｃｋｎｏｗｌｅｄｇｅｄ  Ｍｏｄｅ、応答モード）の三つのＲＬＣモードを提供する。また、ＲＬＣは、下位階層が無線区間にデータを伝送できるようにデータ大きさを調節する役割も果たしており、このために、上位階層から受信したＳＤＵ（Ｓｅｒｖｉｃｅ  Ｄａｔａ  Ｕｎｉｔ）データを分割及び連結し、ＰＤＵ（Ｐｒｏｔｏｃｏｌ  ｄａｔａ  ｕｎｉｔ）を生成して下位階層に伝達する機能も行う。
【００１９】
ＰＤＣＰ階層は、ＲＬＣ階層の上位に位置し、ＩＰｖ４やＩＰｖ６のようなＩＰパケットを用いて伝送されるデータが、相対的に帯域幅の小さい無線区間で効率的に伝送されるようにする。このために、ＰＤＣＰ階層は、ヘッダー圧縮機能を行うが、これは、データのヘッダー部分で必ず必要な情報のみが伝送されるようにし、無線区間の伝送効率を増加させるものである。ＰＤＣＰ階層は、ヘッダー圧縮が基本機能であるので、パケットサービス領域（ＰＳ  ｄｏｍａｉｎ）のみに存在し、各ＰＳサービスに対して効果的なヘッダー圧縮機能を提供するためにＲＢ当たり１個のＰＤＣＰエンティティが存在する。
【００２０】
さらに、第２階層には、ＢＭＣ（Ｂｒｏａｄｃａｓｔ／Ｍｕｌｔｉｃａｓｔ  Ｃｏｎｔｒｏｌ）階層がＲＬＣ階層の上位に存在し、ＢＭＣ階層は、セル放送メッセージをスケジューリングし、特定のセルに位置した各端末に放送する機能を行う。
【００２１】
第３階層の最下部に位置したＲＲＣ（Ｒａｄｉｏ  Ｒｅｓｏｕｒｃｅ  Ｃｏｎｔｒｏｌ、無線資源制御）階層は、制御平面のみで定義され、各ＲＢの設定、再設定及び解除と関連して第１及び第２階層のパラメーターを制御し、かつ、論理チャネル、伝送チャネル及び物理チャネルの制御を担当する。このとき、ＲＢは、端末とＵＴＲＡＮとの間のデータ伝達のために無線プロトコルの第１及び第２階層によって提供される論理的経路を意味し、一般的にＲＢが設定されることは、特定のサービスを提供するために必要な無線プロトコル階層及びチャネルの特性を規定し、それぞれの具体的なパラメーター及び動作方法が設定されることを意味する。
【００２２】
図３は、ＨＳＤＰＡシステムでの無線接続インターフェースのプロトコル構造を示した図である。ＨＳＤＰＡシステムでのデータ伝送は、ダウンリンク伝送チャネルであるＨＳ−ＤＳＣＨを通して行われる。物理階層は、ＭＡＣ−ｈｓ副階層のＨＳ−ＤＳＣＨを通して伝達された各データでＣＣＴｒＣＨを構成し、ＣＣＴｒＣＨは、一つのＨＳ−ＤＳＣＨで構成される。ＨＳ−ＤＳＣＨ上で、多数の端末は、多数の共用チャネル化コードを使用して無線資源を共有する。各端末は、同一の伝送時間間隔（ＴＴＳ：Ｔｒａｎｓｍｉｓｓｉｏｎ  Ｔｉｍｅ  Ｉｎｔｅｒｖａｌ）内で端末の容量によって多数のチャネル化コードの割り当てを受けることができ、多数の端末に対する各データは、一つのＨＳ−ＤＳＣＨ  ＴＴＩ内でコード多重化されて伝送される。
【００２３】
ＨＳ−ＤＳＣＨは、２ｍｓの伝送時間間隔を有し、高いデータ伝送率を保障するために多様なＭＣＳ（Ｍｏｄｕｌａｔｉｏｎ  Ｃｏｄｅ  Ｓｅｔ）を支援する。チャネル状況に最も適したＭＣＳを選定することで、最適のスループットを達成することができる。このために、自動再伝送（ＡＲＱ：Ａｕｔｏｍａｔｉｃ  Ｒｅｐｅａｔ  Ｒｅｑｕｅｓｔ）技術とチャネル符号化技術を結合した混合型ＡＲＱ（ＨＡＲＱ：ｈｙｂｒｉｄ  ＡＲＱ）技術を採択し、信頼性のある伝送が行われるようにする。
【００２４】
図３において、ＳＲＮＣのＲＬＣ階層から伝達されたデータユニットは、論理チャネルＤＴＣＨまたはＤＣＣＨを通して専用チャネルを管理するＭＡＣ−ｄエンティティに伝達され、ＣＲＮＣのＭＡＣ−ｃ／ｓｈ／ｍを経てＮｏｄｅ  ＢのＭＡＣ−ｈｓに伝達される。ここで、ＭＡＣ−ｄは専用チャネルを管理し、ＭＡＣ−ｃ／ｓｈ／ｍは共用チャネルを管理し、ＭＡＣ−ｈｓはＨＳ−ＤＳＣＨを管理するＭＡＣエンティティである。
【００２５】
ＨＳＤＰＡシステムにおいて、物理チャネルＨＳ−ＰＤＳＣＨは、伝送チャネルであるＨＳ−ＤＳＣＨを伝達するために使用される。ＨＳ−ＰＤＳＣＨは、拡散係数が１６に固定され、ＨＳ−ＤＳＣＨデータ伝送のために予備されたチャネル化コードセットから選択された１個のチャネル化コードに該当する。マルチコード伝送の場合、同一のＨＳ−ＰＤＳＣＨサブフレームの間に複数個のチャネル化コードが割り当てられる。
【００２６】
図４は、ＨＳ−ＰＤＳＣＨのサブフレームとスロット構造を示した図である。ＨＳ−ＰＤＳＣＨチャネル上では、ＱＰＳＫまたは１６ＱＡＭ変調シンボルが伝送される。図４において、Ｍは、変調シンボル当たりのビット数をいう。すなわち、ＱＰＳＫであるときにＭ＝２に該当し、１６ＱＡＭであるときにＭ＝４に該当する。
【００２７】
図５は、ＨＳＰＤＡシステムのチャネル構成を概略的に示した図である。図５に示すように、ＨＳ−ＤＳＣＨを通したデータ伝送のためにはＨＳ−ＤＳＣＨ制御情報の伝送が必要であり、前記制御情報は、ダウンリンクチャネルであるＨＳ−ＳＣＣＨ（Ｈｉｇｈ  Ｓｐｅｅｄ  Ｓｈａｒｅｄ  Ｃｏｎｔｒｏｌ  Ｃｈａｎｎｅｌ）及びアップリンクチャネルであるＨＳ−ＤＰＣＣＨ（Ｈｉｇｈ  Ｓｐｅｅｄ  Ｄｅｄｉｃａｔｅｄ  Ｐｈｙｓｉｃａｌ  Ｃｏｎｔｒｏｌ  Ｃｈａｎｎｅｌ）を通して伝送される。
【００２８】
図５において、ＤＰＣＨ（Ｄｅｄｉｃａｔｅｄ  Ｐｈｙｓｉｃａｌ  Ｃｈａｎｎｅｌ）は、両方向物理チャネルとして、伝送チャネルＤＣＨにマッピングされ、端末の専用データと、閉ループ電力制御に必要な電力制御信号などの端末専用のＬ１制御情報を伝達するために使用される。また、Ｆ−ＤＰＣＨ（Ｆｒａｃｔｉｏｎａｌ  Ｄｅｄｉｃａｔｅｄ  Ｐｈｙｓｉｃａｌ  Ｃｈａｎｎｅｌ）は、ダウンリンクチャネルとして、多数個のＤＰＣＨを一つのチャネルコードを使用して伝送する物理チャネルである。ここで、一つのＦ−ＤＰＣＨチャネルは、多数の端末に対する端末専用データは伝送せず、閉ループ電力制御に必要な電力制御信号などの多数の端末に対する端末専用のＬ１制御情報を一緒に伝達するために使用される。ダウンリンクチャネルであるＦ−ＤＰＣＨがある場合、アップリンクチャネルであるＤＰＣＨがこれと一緒に連動して動作する。図５において、ＵＥ１、ＵＥ２及びＵＥ３は、Ｆ−ＤＣＰＨを一つのチャネルコードを通して使用し、このとき、各端末は、アップリンクとしてＤＰＣＨを備える。
【００２９】
図６は、ＨＳ−ＳＣＣＨのサブフレーム構造を示した図である。ＨＳ−ＳＣＣＨは、拡散係数１２８で伝送され、６０ｋｂｐｓの伝送速度を有するダウンリンク物理チャネルである。ＨＳ−ＳＣＣＨを通して伝送される情報は、大きくＴＦＲＩ（Ｔｒａｎｓｐｏｒｔ  Ｆｏｒｍａｔ  ａｎｄ  Ｒｅｓｏｕｒｃｅ  ｒｅｌａｔｅｄ  Ｉｎｆｏｒｍａｔｉｏｎ）とＨＡＲＱ関連情報に分けることができ、この他にも、如何なる使用者のための情報であるかを知らせるための端末識別子情報（Ｈ−ＲＮＴＩ）がマスキングされて伝送される。詳細なＨＳ−ＳＣＣＨ情報は、下記の通りである。
【００３０】
１）ＴＦＲＩ情報
−Ｃｈａｎｎｅｌｉｚａｔｉｏｎ−ｃｏｄｅ−ｓｅｔ  ｉｎｆｏｒｍａｔｉｏｎ（７ｂｉｔｓ）：ｘｃｃｓ，１，ｘｃｃｓ，２，…，ｘｃｃｓ，７
−Ｍｏｄｕｌａｔｉｏｎ  ｓｃｈｅｍｅ  ｉｎｆｏｒｍａｔｉｏｎ（１ｂｉｔ）：ｘｍｓ，１
−Ｔｒａｎｓｐｏｒｔ−ｂｌｏｃｋ  ｓｉｚｅ  ｉｎｆｏｒｍａｔｉｏｎ（６ｂｉｔｓ）：ｘｔｂｓ，１，ｘｔｂｓ，２，…，ｘｔｂｓ，６
２）ＨＡＲＱ情報
−Ｈｙｂｒｉｄ−ＡＲＱ  ｐｒｏｃｅｓｓ  ｉｎｆｏｒｍａｔｉｏｎ（３ｂｉｔｓ）：ｘｈａｐ，１，ｘｈａｐ，２，ｘｈａｐ，３
−Ｒｅｄｕｎｄａｎｃｙ  ａｎｄ  ｃｏｎｓｔｅｌｌａｔｉｏｎ  ｖｅｒｓｉｏｎ（３ｂｉｔｓ）：ｘｒｖ，１，ｘｒｖ，２，ｘｒｖ，３
−Ｎｅｗ  ｄａｔａ  ｉｎｄｉｃａｔｏｒ（１ｂｉｔ）：ｘｎｄ，１
３）ＵＥ  ＩＤ情報
−ＵＥ  ｉｄｅｎｔｉｔｙ（１６ｂｉｔｓ）：ｘｕｅ，１，ｘｕｅ，２，…，ｘｕｅ，１６
図７は、ＨＳ−ＳＣＣＨ情報によるＨＳ−ＳＣＣＨのコーディング方式を示した図である。
【００３１】
図８は、アップリンクＨＳ−ＤＰＣＣＨのフレーム構造を示した図である。アップリンクチャネルであるＨＳ−ＤＰＣＣＨは、ダウンリンクチャネルであるＨＳ−ＤＳＣＨデータ伝送と関連したアップリンクフィードバックシグナリングを伝送する。ＨＳ−ＤＰＣＣＨは、特定の端末のための専用チャネルとして、アップリンク及びダウンリンクのＤＰＣＨ（Ｄｅｄｉｃａｔｅｄ  Ｐｈｙｓｉｃａｌ  Ｃｈａｎｎｅｌ）と一緒に連動して動作する。フィードバックシグナリングは、ＨＡＲＱのためのＡＣＫ／ＮＡＣＫ情報及びＣＱＩ（Ｃｈａｎｎｅｌ  Ｑｕａｌｉｔｙ  Ｉｎｄｉｃａｔｏｒ）で構成される。ＨＳ−ＤＰＣＣＨのフレームは、２ｍｓ長さの５個のサブフレームに区分され、一つのサブフレームは、３個のスロットで構成される。ＨＡＲＱ  ＡＣＫ／ＮＡＣＫ情報は、ＨＳ−ＤＰＣＣＨサブフレームの最初のスロットに伝送され、ＣＱＩは、ＨＳ−ＤＳＣＨサブフレームの二番目及び三番目のスロットに伝送される。ＨＳ―ＤＰＣＣＨは、常にアップリンクＰＤＣＣＨと一緒に伝送される。ＣＱＩは、ＵＥがダウンリンクチャネルであるＣＰＩＣＨ（Ｃｏｍｍｏｎ  Ｐｉｌｏｔ  Ｃｈａｎｎｅｌ）を測定した結果から得られたダウンリンク無線チャネルの状態情報を基地局に伝達し、ＡＣＫ／ＮＡＣＫは、ＨＡＲＱメカニズムによってダウンリンクＨＳ−ＤＳＣＨに伝送された使用者データパケット伝送に対するＡＣＫまたはＮＡＣＫ情報を知らせる。
【００３２】
図９は、本発明に係る一実施例の手順フローチャートである。図９の実施例は、ＵＭＴＳシステムでＵＴＲＡＮが休止モード状態にある各端末には、伝送チャネルであるＰＣＨ（Ｐａｇｉｎｇ  Ｃｈａｎｎｅｌ）がマッピングされるＳ−ＣＣＰＣＨ（Ｓｅｃｏｎｄａｒｙ  Ｃｏｍｍｏｎ  Ｃｏｎｔｒｏｌ  Ｃｈａｎｎｅｌ）を通してページングメッセージを伝送し、連結モード状態にある各端末には、伝送チャネルであるＨＳ−ＤＳＣＨがマッピングされるＨＳ−ＰＤＳＣＨを通してページングメッセージを伝送する例である。ページングメッセージ伝送時、ＰＣＨ及びＨＳ−ＤＳＣＨは、論理チャネルであるＰＣＣＨとマッピングされる。
【００３３】
図９を参照すると、端末は、ＵＴＲＡＮから放送されるシステム情報を受信する（Ｓ９１）。端末の電源をオンにすると、前記端末は、自身が接続するネットワークを選択した後、サービス提供を受けるのに適したセルの制御情報を受信する。前記制御情報は、セルから伝送されるシステム情報及びセル放送メッセージを意味し、前記端末は、前記制御情報からダウンリンクスクランブリングコード及びフレーム同期化情報を得ることができる。システム情報には、休止モードにある端末が網に接続するための情報、連結モード状態にある端末に対する移動性支援及び測定情報などの多様な情報が含まれる。
【００３４】
本実施例において、前記システム情報は、ＵＴＲＡＮ性能指示情報をさらに含む。前記ＵＴＲＡＮ性能指示情報は、前記ＵＴＲＡＮが何れのチャネルを通してページングメッセージを伝送するかに関する情報を含む。例えば、前記ＵＴＲＡＮ性能指示情報は、前記ＵＴＲＡＮがＨＳ−ＰＤＳＣＨを通してページングメッセージを伝送できることを表す情報を含むことができる。他の例として、前記ＵＴＲＡＮ性能指示情報は、前記ＵＴＲＡＮが休止モードにある端末には、伝送チャネルであるＰＣＨがマッピングされるＳ−ＣＣＰＣＨを通してページングメッセージを伝送でき、連結モードにある端末には、ＨＳ−ＰＤＳＣＨを通してページングメッセージを伝送できることを表す情報を含むことができる。
【００３５】
図９において、前記端末がＲＲＣ連結を設定する前には休止モードにあるので、前記端末は、Ｓ−ＣＣＰＣＨを通してページングメッセージを受信する。すなわち、前記ＵＴＲＡＮが前記端末を呼び出す必要がある場合、物理チャネルであるＰＩＣＨ（Ｐａｇｉｎｇ  Ｉｎｄｉｃａｔｉｏｎ  Ｃｈａｎｎｅｌ）を通して前記端末にページング指示情報を伝送する（Ｓ９２）。前記ページング指示情報は、前記一つの端末のみのためのページングを指示する指示子であるか、ページンググループに属する端末全体のためのページングを指示する指示子である。
【００３６】
前記端末は、前記ページング指示情報を受信した後、Ｓ−ＣＣＰＣＨを通して前記ＵＴＲＡＮから伝送されるページングメッセージを受信する（Ｓ９３）。休止モードにある前記端末は、不連続受信（ＤＲＸ：ｄｉｓｃｏｎｔｉｎｕｏｕｓ  ｒｅｃｅｐｔｉｏｎ）方式を用いてＰＩＣＨとＰＣＨがマッピングされるＳ−ＣＣＰＣＨを不連続的に受信する。前記端末は、ＰＩＣＨまたはＳ−ＣＣＰＣＨを受信する場合を除いた残りの時間区間の間には睡眠モード状態にある。ＤＲＸ方式を行う前記端末は、特定の周期ごとに一回ずつウェイクアップし、ＰＩＣＨを通してページング指示情報が受信されるかをモニタリングする。前記ページング指示情報は、特定の端末またはページンググループのためのページングメッセージが前記ＵＴＲＡＮから伝送されることを前記特定の端末に知らせるために使用される。ＰＩＣＨは、１０ｍｓ長さのフレームに区分され、一つのＰＩＣＨフレームは３００ビットで構成される。３００ビットのうち前部分の２８８ビットは、一つ以上の端末のためのページング指示情報を含み、後部分の１２ビットは、何らの情報も含んでいない。このとき、前部分の２００ビットをＵＥ  ＰＩＣＨと定義し、後部分の１２ビットをＰＩＣＨ未使用部分（ＰＩＣＨ  ｕｎｕｓｅｄ  ｐａｒｔ）と定義する。
【００３７】
休止モード状態にある端末がＵＴＲＡＮとの連結モード状態に進入するためには、ＲＲＣ連結過程を進行しなければならない。ＲＲＣ連結のために、前記端末は、ＲＲＣ連結要請メッセージを前記ＵＴＲＡＮに伝送する（Ｓ９４）。一般的に、前記ＲＲＣ連結要請メッセージは、初期端末識別子及びＲＲＣ連結を設定すべき理由などと関連した情報を含む。本実施例において、前記ＲＲＣ連結要請メッセージは端末性能指示情報をさらに含む。前記端末性能指示情報は、前記端末がＨＳ−ＰＤＳＣＨを通してページングメッセージを受信できることを表す情報を含み、その他に、前記端末の他の性能情報をさらに含むことができる。
【００３８】
前記端末から前記ＲＲＣ連結要請メッセージを受信した前記ＵＴＲＡＮは、前記端末にＲＲＣ連結設定メッセージを伝送する（Ｓ９５）。前記ＲＲＣ連結設定メッセージは、前記端末の初期端末識別子、無線網臨時識別子及び無線ベアラ情報などを含む。前記端末は、前記ＵＴＲＡＮから前記ＲＲＣ連結設定メッセージを受信した後、前記ＵＴＲＡＮにＲＲＣ連結設定完了メッセージを伝送する（Ｓ９６）。前記ＲＲＣ連結設定完了メッセージは、前記端末の無線網臨時識別子及び端末性能情報などを含む。前記端末性能情報は、前記端末がＨＳ−ＰＤＳＣＨを通してページングメッセージを受信できることを表す情報を含むことができる。すなわち、前記端末がＨＳ−ＰＤＳＣＨを通してページングメッセージを受信できることを表す情報は、前記ＲＲＣ連結要請メッセージ及びＲＲＣ連結設定完了メッセージのうち少なくとも何れか一つに含まれて伝送される。
【００３９】
前記ＵＴＲＡＮは、ＲＲＣ連結設定後に、前記端末に対するページングメッセージをＳ−ＣＣＰＣＨを通して伝送するか、それともＨＳ−ＰＤＳＣＨを通して伝送するかを決定し、その結果を前記端末に通報することができる。また、前記端末から前記端末がＨＳ―ＰＤＳＣＨを通してページングメッセージを受信できることを表す情報を受信した場合、別途の過程なしにＨＳ−ＰＤＳＣＨを通して前記端末のためのページングメッセージを伝送することができる。前記端末がＲＲＣ連結設定後にＨＳ−ＤＳＣＨを通してページングメッセージを受信することに決定された場合、前記ＵＴＲＡＮは、前記端末がＣ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ）及びＨ−ＲＮＴＩを保存するように設定することができる。前記端末がＣ−ＲＮＴＩ及びＨ−ＲＮＴＩを保存するように設定されない場合、前記ＵＴＲＡＮは、ＨＳ−ＰＤＳＣＨコード及び伝送ブロック大きさを用いてＨＳ−ＤＳＣＨを通して前記端末にページングメッセージを伝送することができる。前記ＨＳ−ＰＤＳＣＨ及び伝送ブロック大きさに関する情報は、システム情報に含まれて放送される。
【００４０】
前記端末が前記ＵＴＲＡＮとのＲＲＣ連結過程を終了すると、前記端末は、ＲＲＣ連結モードに進入する。ＲＲＣ連結モードは、前記端末が使用可能な物理チャネルの種類によってＣＥＬＬ＿ＤＣＨ、ＣＥＬＬ＿ＦＡＣＨ、ＣＥＬＬ＿ＰＣＨ及びＵＲＡ＿ＰＣＨの４種類の状態に区分される。各ＲＲＣ状態は、他のＲＲＣ状態または他のモードへの転移が可能である。前記４種類の状態のうちＵＲＡ＿ＰＣＨ及びＣＥＬＬ＿ＰＣＨ状態にある端末は、休止モードにある端末と同様に、電力消耗を減少させるために不連続受信（ＤＲＸ）方式を用いて、一定周期の区間内のみで前記ＵＴＲＡＮからページングメッセージを受信するために睡眠モードからウェイクアップする。
【００４１】
図９において、前記端末は、一定周期の区間内で自身に伝送されるページング指示情報がＰＩＣＨを通して受信されるかをモニタリングする（Ｓ９７）。前記ＵＴＲＡＮは、ＰＩＣＨを通して前記端末にページング指示情報を伝送した後、ＨＳ−ＳＣＣＨを通して前記端末のＨ−ＲＮＴＩを伝送する。前記Ｈ−ＲＮＴＩは、図７に基づいて説明したように、ＨＳ−ＳＣＣＨを通して伝送される他の情報にマスキングされて伝送される。前記端末がＰＩＣＨを通してページング指示情報を受信すると、ＨＳ−ＳＣＣＨを通して自身のＨ−ＲＮＴＩが受信されるかを既に設定された個数だけのサブフレームの間にモニタリングする（Ｓ９８）。前記Ｈ−ＲＮＴＩは、前記端末のための専用Ｈ−ＲＮＴＩであるか、全てのページングメッセージに対する呼び出し用Ｈ−ＲＮＴＩである。また、前記Ｈ−ＲＮＴＩは、特定の端末グループまたはページンググループのためのＨ−ＲＮＴＩである。前記モニタリングすべきサブフレームの個数に関する情報は、システム情報に含まれて放送される。前記端末がＨＳ−ＳＣＣＨを通してＨ−ＲＮＴＩを受信すると、前記ＨＳ−ＳＣＣＨに対応するＨＳ−ＰＤＳＣＨを通して前記ＵＴＲＡＮから伝送されるページングメッセージを受信する（Ｓ９９）。
【００４２】
前記端末がＨ−ＲＮＴＩを保存していない場合、前記端末は、ページングメッセージ伝送のために使用されるＨＳ−ＰＤＳＣＨコード及び伝送ブロック大きさを用いてＨＳ−ＤＳＣＨがマッピングされたＨＳ−ＰＤＳＣＨ上でページングメッセージを受信する。すなわち、Ｈ−ＲＮＴＩを保存していない前記端末がＰＩＣＨを通してページング指示情報を受信する場合、前記端末は、前記ＨＳ−ＰＤＳＣＨコード及び伝送ブロック大きさを用いて既に設定された個数のスーパーフレームの間、ＨＳ−ＤＳＣＨを通してページングメッセージが伝送されるかをモニタリングする。前記ＨＳ−ＰＤＳＣＨコード及び伝送ブロック大きさは、ページングメッセージを伝送するのに用いられるもので、システム情報に含まれて放送された情報である。
【００４３】
図１０は、本発明の一実施例に係るページングメッセージ伝送チャネルのプロトコル構造を示した図である。図１０において、ページングメッセージ伝送のスケジューリングは、ＲＮＣでないＮｏｄｅ  Ｂが担当する。ＲＮＣは、特定の端末にＨＳ−ＰＤＳＣＨを通してページングメッセージを伝送しようとする場合、該当のページングメッセージの伝送情報をＩｕｂインターフェースを通してＮｏｄｅ  Ｂに知らせる。前記伝送情報は、該当の端末のＤＲＸ情報などを含む。Ｎｏｄｅ  ＢのＭＡＣ階層は、前記伝送情報を用いてＨＳ―ＰＤＳＣＨを通して前記ページングメッセージを前記端末に伝送する。
【００４４】
以上の実施例は、休止モード状態から連結モード状態に移る過程にある一つの端末に対して本発明の技術的特徴が適用された例であるが、互いに異なる連結状態にある互いに異なる端末に対しても本発明に係る技術的特徴が適用されることは自明である。
【００４５】
本文書で説明されたＨＳ−ＤＳＣＨは、コード分割多重接続（ＣＤＭＡ）方式を基盤とするＨＳＤＰＡシステムで使用されるＨＳ−ＤＳＣＨを前提としたことを特徴とする。したがって、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）またはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式を基盤とする無線通信システムでＨＳ−ＤＳＣＨが具現される場合、本文書で説明されたＨＳ−ＤＳＣＨの特徴がそのまま適用されないことがある。ただし、本発明の技術的特徴は、ＯＦＤＭまたはＯＦＤＭＡ方式を基盤とする無線通信システムでも適用可能であることは自明である。
【００４６】
以上説明された各実施例は、本発明の構成要素と特徴が所定の形態で結合されたものである。各構成要素または特徴は、別途の明示的な言及がない限り選択的なものとして考慮されるべきである。各構成要素または特徴は、他の構成要素や特徴と結合されない形態で実施される。また、一部の構成要素及び／または特徴を結合して本発明の実施例を構成することも可能である。本発明の各実施例で説明される各動作の順序は変更可能である。一実施例の一部構成や特徴は、他の実施例に含まれるか、または、他の実施例の対応する構成または特徴に取り替えられる。特許請求の範囲で明示的な引用関係のない請求項をそれぞれ結合して実施例を構成したり、出願後の補正によって新しい請求項を含ませることができることは自明である。
【００４７】
本文書において、本発明の各実施例は、基地局と端末との間のデータ送受信関係を中心に説明してきた。本文書において、ネットワークによって行われると説明された特定の動作は、場合によって基地局またはその上位ノードによって行われる。すなわち、基地局を含む多数のネットワークノードからなるネットワークで端末との通信のために行われる多様な動作は、基地局または基地局以外の他のネットワークノードによって行われることが自明である。‘基地局’は、固定局、Ｎｏｄｅ  Ｂ、ｅＮｏｄｅ  Ｂ（ｅＮＢ）、アクセスポイントなどの用語に取り替えられる。また、‘端末’は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）などの用語に取り替えられる。
【００４８】
本発明に係る実施例は、多様な手段、例えば、ハードウェア、ファームウェア、ソフトウェアまたはそれらの結合などによって具現される。ハードウェアによる具現の場合、本発明の一実施例に係る無線通信システムでのページングメッセージ送受信方法は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現される。
【００４９】
ファームウェアやソフトウェアによる具現の場合、本発明の一実施例に係る無線通信システムでのページングメッセージ送受信方法は、以上で説明された機能または動作を行うモジュール、手順、関数などの形態で具現される。ソフトウェアコードは、メモリユニットに保存されてプロセッサによって駆動される。前記メモリユニットは、前記プロセッサの内部または外部に位置し、既に公知の多様な手段によって前記プロセッサとデータを取り交わすことができる。
【００５０】
本発明は、本発明の精神及び必須的特徴を逸脱しない範囲で他の特定の形態に具体化されることは当業者にとって自明である。したがって、上述した詳細な説明は、全ての面で制限的に解析されてはならなく、例示的なものとして考慮されるべきである。本発明の範囲は、添付された請求項の合理的な解析によって決定されるべきで、本発明の等価的範囲内での全ての変更は本発明の範囲に含まれる。
【産業上の利用可能性】
【００５１】
本発明は、移動通信システムや無線インターネットシステムなどのような無線通信システムで用いられる。
【図１】
2010507323.tif 000003
【図２】
2010507323.tif 000004
【図３】
2010507323.tif 000005
【図４】
2010507323.tif 000006
【図５】
2010507323.tif 000007
【図６】
2010507323.tif 000008
【図７】
2010507323.tif 000009
【図８】
2010507323.tif 000010
【図９】
2010507323.tif 000011
【図１０】
2010507323.tif 000012
【国際調査報告】
2010507323.tif 000013
2010507323.tif 000014
2010507323.tif 000015